(57)【要約】【課題】チューブを破ることなく内容物を絞り出すことのできるチューブ絞り器を提供する。【解決手段】内容物を有するチューブ２を内部に納める収納部１０と、収納部１０に圧縮空気を供給する空気供給部３０と、を有するチューブ絞り器１であって、収納部１０は、チューブ２の内部と連通するノズル部１３と、チューブ２が配置される領域に隣接するように配置され空気圧で拡張可能な拡張体２０と、を有し、拡張体２０が空気供給部３０に接続されるチューブ絞り器１である。【選択図】図１
2020059518.tif 000002
【特許請求の範囲】
【請求項１】
内容物を有するチューブを内部に納める収納部と、該収納部に圧縮空気を供給する空気供給部と、を有するチューブ絞り器であって、
前記収納部は、前記チューブの内部と連通するノズル部と、前記チューブが配置される領域に隣接するように配置され空気圧で拡張可能な拡張体と、を有し、
前記拡張体が前記空気供給部に接続されるチューブ絞り器。
【請求項２】
前記拡張体は、前記チューブが配置される領域を両側から挟むように隣接して配置される請求項１に記載のチューブ絞り器。
【請求項３】
前記拡張体は、収縮時において前記チューブの外面に沿うように配置される請求項１または２に記載のチューブ絞り器。
【請求項４】
前記拡張体は、前記チューブに対し長さ方向略全長に渡って隣接する請求項１〜３のいずれか１項に記載のチューブ絞り器。
【請求項５】
前記空気供給部は、圧縮空気源に接続され圧縮空気の供給量を調整する注入調整部と、前記拡張体に注入された圧縮空気を排出する排出調整部と、を有する請求項１〜４のいずれか１項に記載のチューブ絞り器。
【請求項６】
前記収納部には持ち手部が接続され、前記注入調整部及び排出調整部は前記持ち手部に配置される請求項５に記載のチューブ絞り器。
【発明の詳細な説明】
【技術分野】
【０００１】
本発明は、チューブから内容物を絞り出すチューブ絞り器に関する。
【背景技術】
【０００２】
チューブの内容物を絞り出すチューブ絞り器は、作業性向上のために広く用いられている。チューブ絞り器は、狭い隙間でチューブを挟み、ローラーの回転などによってチューブを隙間に巻き込んでいくことにより、内容物を絞り出すのが一般的である。このような構造を有するチューブ絞り器としては、例えば特許文献１に挙げるようなものがある。
【先行技術文献】
【特許文献】
【０００３】
【特許文献１】特許第６０３４４７４号公報
【発明の概要】
【発明が解決しようとする課題】
【０００４】
狭い隙間にチューブを巻き込んでいくチューブ絞り器においては、隙間に巻き込まれるチューブのごく狭い範囲に大きな押圧力がかかるため、内容物を全て使い切る前に、チューブが破れてしまうことがある。特に、チューブがアルミなどの金属製である場合には、チューブの可撓性が乏しいため、隙間の両端部付近において破れる可能性がある。チューブが破れると、内容物が残っていてもそれ以上、そのチューブを使用するのは難しく、また、チューブ絞り器に内容物が付着して手入れを困難にする場合もある。
【０００５】
本発明は前記課題を鑑みてなされたものであり、チューブを破ることなく内容物を絞り出すことのできるチューブ絞り器を提供することを目的とする。
【課題を解決するための手段】
【０００６】
前記課題を解決するため、請求項１の発明に係るチューブ絞り器は、内容物を有するチューブを内部に納める収納部と、該収納部に圧縮空気を供給する空気供給部と、を有するチューブ絞り器であって、
前記収納部は、前記チューブの内部と連通するノズル部と、前記チューブが配置される領域に隣接するように配置され空気圧で拡張可能な拡張体と、を有し、
前記拡張体が前記空気供給部に接続される。
【０００７】
請求項１に係る発明によれば、チューブに隣接する拡張体が空気圧で拡張し、チューブを面で押圧して内容物を絞り出すことができる。
【０００８】
また、請求項２の発明に係るチューブ絞り器は、前記拡張体は、前記チューブが配置される領域を両側から挟むように隣接して配置される。
【０００９】
請求項２に係る発明によれば、チューブの両側から拡張体で挟むように押圧できるので、チューブへの負荷を小さくしつつ確実に内容物を絞り出すことができる。
【００１０】
さらに、請求項３の発明に係るチューブ絞り器は、前記拡張体は、収縮時において前記チューブの外面に沿うように配置される。
【００１１】
請求項３に係る発明によれば、拡張体を拡張させた際にチューブからの内容物絞り出しの応答性を良好にすることができる。
【００１２】
さらにまた、請求項４の発明に係るチューブ絞り器は、前記拡張体は、前記チューブに対し長さ方向略全長に渡って隣接する。
【００１３】
請求項４に係る発明によれば、チューブのほぼ全面を拡張体で押圧できるので、チューブにたいする負荷を小さくすることができる。
【００１４】
そして、請求項５の発明に係るチューブ絞り器は、前記空気供給部は、圧縮空気源に接続され圧縮空気の供給量を調整する注入調整部と、前記拡張体に注入された圧縮空気を排出する排出調整部と、を有する。
【００１５】
請求項５に係る発明によれば、チューブからの内容物の絞り出し開始及び停止を任意のタイミングで行うことができ、作業性を向上させることができる。
【００１６】
また、請求項６の発明に係るチューブ絞り器は、前記収納部には持ち手部が接続され、前記注入調整部及び排出調整部は前記持ち手部に配置される。
【００１７】
請求項６に係る発明によれば、使用者が持ち手部を持って注入調整部や排出調整部を操作できるので、操作性をよくすることができる。
【発明の効果】
【００１８】
本発明に係るチューブ絞り器によれば、空気圧で拡張する拡張体の面でチューブを押圧し内容物を絞り出すため、チューブにかかる負荷が小さく、チューブを破ることなく内容物を絞り出すことができる。
【図面の簡単な説明】
【００１９】
【図１】本実施形態におけるチューブ絞り器の正面図である。
【図２】チューブ絞り器の平面図である。
【図３】空気供給部の系統図である。
【図４】収納部にチューブを挿入する際の平面図である。
【図５】拡張体を拡張させてチューブを絞り始めた状態のチューブ絞り器の平面図である。
【図６】チューブを絞り終わった状態のチューブ絞り器の平面図である。
【発明を実施するための形態】
【００２０】
本発明の実施形態について、図面に沿って詳細に説明する。図１には、本実施形態におけるチューブ絞り器の正面図を示している。本実施形態のチューブ絞り器１は、接着剤等の内容物を有するチューブ２から、内容物を絞り出すために用いられる。図１に示すように、チューブ絞り器１は、チューブ２を内部に納める収納部１０と、手で持つことのできる持ち手部１５と、収納部１０と持ち手部１５との間に配置される中間部１７とを有している。
【００２１】
収納部１０は、透明な部材で筒状に形成されている。収納部１０のうち内容物が絞り出される側である前端側には、前端キャップ１２が設けられて、収納部１０を塞いでいる。前端キャップ１２は、収納部１０に収納されるチューブ２の内部と連通するノズル部１３を有している。また、収納部１０のうち前端側と反対側である後端側には、後端キャップ１４が設けられて、収納部１０を塞いでいる。前端キャップ１２または後端キャップ１４を収納部１０から取り外すことで、収納部１０の内部が開放され、チューブ２を出し入れすることができる。
【００２２】
収納部１０は、アクリル等の透明あるいは透光性を有する材料で形成することができる。収納部１０が透明あるいは透光性を有していることで、チューブ２の残量や絞り出されている状態を簡単に確認することができる。ただし、収納部１０は透光性を有しない材料で形成されていてもよい。また、収納部１０は、一部が透明あるいは透光性を有する材料で形成されていてもよい。
【００２３】
前端キャップ１２や後端キャップ１４は、ナイロン等の樹脂材によって形成することができる。ただし、前端キャップ１２や後端キャップ１４は、樹脂材以外の材料で形成してもよい。
【００２４】
収納部１０の内部には、拡張体２０が配置される。拡張体２０は内部が中空状で、圧力の高い圧縮空気が注入されることで体積が膨張し、拡張することができる。図２には、チューブ絞り器１の平面図を示している。この図に示すように、収納部１０の内部には、チューブ２が収納され、このチューブ２を両側から挟むように一対の拡張体２０が配置されている。拡張体２０は、チューブ２に接する内周面２１と、収納部１０に対向あるいは接する外周面２２とを有しており、収納部１０の略全長に渡る長さを有している。このため、拡張体２０は、収納部１０に収納されたチューブ２に対し、その略全長に渡って隣接する。チューブ２が収納部１０に収納されていない状態において、拡張体２０は、チューブ２を配置可能な領域に隣接するように配置される。また、拡張体２０は、圧縮空気が注入された際に、主に内周面２１と外周面２２とが離隔するように拡張していく。
【００２５】
拡張体２０は、クロロプレンゴムによって形成されている。ただし、それ以外の種類のゴムで形成してもよいし、また、拡張変形可能であれば樹脂材などゴム以外の材料で形成してもよい。
【００２６】
持ち手部１５は、収納部１０より下方に向かって延び、収納部１０と持ち手部１５により全体としてガン形状を形成している。持ち手部１５には、ノズル部１３と同じ方向を向く面に、注入調整部３１及び排出調整部３２が設けられている。これらの機能については後述する。持ち手部１５は、金属材で形成される。ただし、持ち手部１５は樹脂材等、金属材以外の材料で形成してもよい。
【００２７】
中間部１７は、収納部１０の下部に沿うように設けられており、後述する空気供給部３０を内部に納める基部１７ａと、持ち手部１５を挿入固定する下方開放部１７ｂとを有している。中間部１７は、収納部１０に対して両面テープにより固定されている。ただし、中間部１７は収納部１０の周面に沿うリング等で固定するなど、その他の方法で収納部１０に固定してもよい。また、中間部１７は、ナイロン等の樹脂材で形成される。ただし、中間部１７は樹脂材以外の材料で形成されていてもよい。
【００２８】
中間部１７の後端部からは、空気供給部３０を形成する接続管３５が露出し、露出した接続管３５は、収納部１０の周面を貫通して内部の拡張体２０に接続されている。接続管３５は、可撓性を有する管状部材であり、中間部１７及び収納部１０の外部でＵ字状をなしている。２つの拡張体２０に圧縮空気を供給するため、露出する接続管３５も２つが設けられる。なお、本実施形態で接続管３５は、このように露出してＵ字状を形成しているが、これ以外の取り回しで収納部１０に接続されていてもよい。
【００２９】
次に、空気供給部３０について説明する。図３には、空気供給部３０の系統図を示している。空気供給部３０は、圧縮空気源４０及び拡張体２０と接続される注入調整部３１と、拡張体２０と接続される排出調整部３２とを有している。注入調整部３１は、圧縮空気源４０からの圧縮空気を受け入れる空気導入部３１ａと、圧縮空気を送り出す空気導出部３１ｂと、押圧操作により圧縮空気の流通をコントロールする操作部３１ｃとを有している。排出調整部３２は、拡張体２０側からの圧縮空気を受け入れる空気導入部３２ａと、圧縮空気を外部に排出する空気排出部３２ｂと、押圧操作により圧縮空気の流通をコントロールする操作部３２ｃとを有している。
【００３０】
注入調整部３１と排出調整部３２は、第１ジョイント部３３に接続され、拡張体２０側と連通する。第１ジョイント部３３は、拡張体２０側で第２ジョイント部３４に接続される。第２ジョイント部３４は、注入調整部３１や排出調整部３２が２つの拡張体２０と連通できるように２つに分岐している。第２ジョイント部３４から前出の２つの接続管３５が延びており、それぞれ拡張体２０に接続される。
【００３１】
圧縮空気源４０は、圧縮空気を貯留、排出できるボンベ等の形態を有している。圧縮空気源４０は、持ち手部１５の下部より引き出される接続管３６に接続される。圧縮空気源４０に接続された状態で、空気供給部３０は、注入調整部３１までが圧縮空気で満たされている。この状態で注入調整部３１の操作部３１ｃを押圧操作することで、注入調整部３１内の弁が開き、圧縮空気が拡張体２０に供給される。拡張体２０は、圧縮空気の空気圧により、図３において破線で示すように、収納部１０内において拡張することができる。
【００３２】
チューブ絞り器１を使用する際には、予め収納部１０に内容物を有するチューブ２を収納しておく。図４には、収納部１０にチューブ２を挿入する際の平面図を示している。この図に示すように、収納部１０には、前端キャップ１２を取り外すことにより、拡張体２０間の領域にチューブ２を挿入することができる。チューブ２は吐出口２ａを有しており、この吐出口２ａが前端キャップ１２を収納部１０に取付けた際にはノズル部１３側を向くように、チューブ２が収納部１０内に挿入される。
【００３３】
チューブ２を挿入したら、取り外した前端キャップ１２を収納部１０に取付ける。なお、図４では前端キャップ１２を取り外してチューブ２を取付けているが、後端キャップ１４を取り外してチューブ２を取付けてもよい。
【００３４】
使用者は、持ち手部１５を手で持って作業をすることができる。持ち手部１５に設けられた注入調整部３１の操作部３１ｃを押圧操作することにより、注入調整部３１の弁が開き、圧縮空気源４０からの圧縮空気が空気供給部３０を介して拡張体２０に注入される。
【００３５】
図５には、拡張体２０を拡張させてチューブ２を絞り始めた状態のチューブ絞り器１の平面図を示している。圧縮空気を注入された拡張体２０は、収納部１０内で膨張する。拡張体２０は、収納部１０内においてチューブ２と収納部１０の内面との間に空間が存在している間は、その空間を埋めるように体積を拡大していく。拡張体２０の外周面２２が収納部１０の内面に当接するまで拡張体２０が膨張すると、チューブ２と収納部１０の内面との間の空間がなくなるため、拡張体２０の膨張圧力は、チューブ２に向かう。これにより、チューブ２が両側から拡張体２０に押圧され、内容物がノズル部１３を介して絞り出される。
【００３６】
拡張体２０は、長さ方向略全長に渡りチューブ２に隣接しているため、チューブ２の表面のほぼ全体を空気圧により両側から押圧し、内容物を絞り出す。このように拡張体２０はチューブ２を面で押圧するため、チューブ２の表面の特定箇所に強い力がかかることがなく、チューブ絞り器１の使用時においてチューブ２が破れることを防止することができる。
【００３７】
注入調整部３１の操作部３１ｃを押圧操作している間、拡張体２０には圧縮空気が注入され続ける。操作部３１ｃの押圧操作を止めても、拡張体２０の圧力によりチューブ２からはしばらくは内容物が吐出され続ける。これを任意のタイミングで止めたい場合には、排出調整部３２の操作部３２ｃを押圧操作する。排出調整部３２の操作部３２ｃを操作すると、排出調整部３２の弁が開き、拡張体２０内の圧縮空気は空気排出部３２ｂから排出される。これにより、拡張体２０内の圧力が減少して収縮し、チューブ２に対する押圧が停止されるので、内容物の吐出も停止される。
【００３８】
このように、注入調整部３１と排出調整部３２の操作により、チューブ２の内容物を任意のタイミングで絞り出し開始及び停止させることができる。
【００３９】
チューブ２の内容物を絞り出していくと、チューブ２は次第に体積が小さくなり、収縮する。図６には、チューブ２を絞り終わった状態のチューブ絞り器１の平面図を示している。圧縮空気を注入していくことで、拡張体２０は、チューブ２がそれ自体の厚みになるまで拡張することができる。この状態でチューブ２の内容物はほとんどが絞り出されている。チューブ２の内容物を絞り終わったら、排出調整部３２を操作して拡張体２０を収縮させ、前端キャップ１２または後端キャップ１４を取り外してチューブ２を収納部１０から取り出す。さらに使用を継続する場合には、収納部１０に新しいチューブ２を挿入し、前端キャップ１２または後端キャップ１４を収納部１０に取付ける。その後は、前述の通りに使用を継続することができる。
【００４０】
以上、本発明の実施形態について説明したが、本発明の適用は本実施形態には限られず、その技術的思想の範囲内において様々に適用されうるものである。例えば、収納部１０に収納されるチューブ２の内容物は、接着剤に限られず、コーキング材などその他のものであってもよい。
【００４１】
また、本実施形態において、拡張体２０は収納部１０の内面に固定されていないが、収納部１０のいずれかに固定されていてもよい。また、収納部１０の内面に、中央側に向かって変形可能な変形壁を設け、これを空気圧で変形させることにより、チューブ２を両側から押圧するようにしてもよい。
【００４２】
また、本実施形態において圧縮空気源４０は、接続管３６を介して空気供給部３０に接続されるが、圧縮空気源４０をチューブ絞り器１自体に取付け、あるいは一体的に設けるようにして、空気供給部３０に圧縮空気を供給するようにしてもよい。
【符号の説明】
【００４３】
１    チューブ絞り器
５    チューブ
１０    収納部
１１    筒状部
１２    前端キャップ
１３    ノズル部
１４    後端キャップ
２０    拡張体
２１    内周面
２２    外周面
２３    管接続部
３０    空気供給部
３１    注入調整部
３１ａ  空気導入部
３１ｂ  空気導出部
３１ｃ  操作部
３２    排出調整部
３２ａ  空気導入部
３２ｂ  空気排出部
３２ｃ  操作部
３３    第１ジョイント部
３４    第２ジョイント部
３５    接続管
４０    圧縮空気源
【図１】
2020059518.tif 000003
【図２】
2020059518.tif 000004
【図３】
2020059518.tif 000005
【図４】
2020059518.tif 000006
【図５】
2020059518.tif 000007
【図６】
2020059518.tif 000008